(57)【特許請求の範囲】
【請求項１】
錠ケース及びそのケースカバー内に鎌金を有する錠とこの錠内に設けられたハブを回動させることにより鎌金を回動させて施・解錠すべく戸内側及び戸外側に設けられる操作部材とからなる施錠本体と、上記鎌金の先端に形成されたカマに係合し得るストライクを有する受金具とから構成される鎌錠において、
上記の錠内には、上記鎌金を内蔵して回動自在に軸支するデッドボルトが上記ハブのアームの押圧により出没移動すべく錠ケース内を摺動自在に設けられると共に、このデッドボルトの進出移動によりデッドボルトに係合されて並進移動してフロントから突出するストライク確認部材と、上記デッドボルトの進出移動を規制する規制手段と、デッドボルトの進出移動に伴い鎌金の先端におけるカマのストライク通過後に鎌金を回動させて上記カマをデッドボルトから突出させるカマ突出手段とが設けられ、
上記操作部材の回動操作にてハブを回動させることによるハブのアームの押圧にてデッドボルトをフロントから少し突出移動させたときに、このデッドボルトと並進するストライク確認部材の先端がストライクに当接しない場合には、規制手段にてデッドボルトの進出移動を禁止する一方、
上記操作部材の回動操作にてハブを回動させることによるハブのアームの押圧にてデッドボルトをフロントから少し突出移動させたときに、このデッドボルトと並進するストライク確認部材の先端がストライクに当接する場合には、ストライク確認部材とデッドボルトとの係合を解除してストライク確認部材におけるデッドボルトとの並進突出移動を回避しかつストライク確認部材を没入状態に維持させると共に、このストライク確認部材の没入状態維持に伴い規制手段によりデッドボルトの進出移動の禁止が解除されることを特徴とする鎌錠。
【請求項２】
上記の錠内には、戸の開いている状態にてデッドボルトが突出位置となり、又はさらにカマが突出したときにはデッドボルトの先端を押圧操作することによりカマ及びデッドボルトを没入位置に戻し得る没入手段が設けられていることを特徴とする請求項１記載の鎌錠。
【請求項３】
上記の錠は、錠ケースとそのケースカバーとを合体したものが円筒状に形成されていることを特徴とする請求項１又は２記載の鎌錠。
【発明の詳細な説明】
【０００１】
【発明の属する技術分野】
本発明は、錠ケース及びそのケースカバー内に鎌金を有する錠とこの錠内に設けられたハブを回動させることにより鎌金を回動させて施・解錠すべく戸内側及び戸外側に設けられる操作部材とからなる施錠本体と、上記鎌金の先端に形成されたカマに係合し得るストライクを有する受金具とから構成される鎌錠に関するものである。
【０００２】
【従来の技術】
室内等には、溝やレールに沿って戸を水平方向に動かして開閉する引戸が設けられている。この引戸には、例えば片引戸及び両引戸等がある。
【０００３】
そして、これら片引戸及び両引戸等には、施錠のためや引戸を勢い良く閉じたときの反発防止等のために、戸先にカマを有する鎌錠が使用される。
【０００４】
従来の鎌錠として、例えば実公昭５７−２９００７号公報に開示されたものがある。この公報の技術では、引戸が開いているときには、危険防止のためにカマが不用意に突出しないようになっている。
【０００５】
具体的には、この鎌錠は、図８に示すように、解錠状態においては、軸支されて回動可能に設けられた略Ｕ字状の鎌金９２がケース９１内に没入した状態となっている。この鎌金９２は、ケース９１内を上下に摺動するリトラクター９３にリンク９４を介して連結されている。また、上記鎌金９２の下側には、この鎌金９２の回動を阻止するためのＬ字状の規制片９５が設けられており、鎌金９２が没入状態となっているときには、規制片９５の上端が鎌金９２に当接して鎌金９２の回動を規制している。尚、規制片９５の他の端部は、ケース９１から突出している。
【０００６】
一方、この鎌錠を施錠する場合には、図９に示すように、引戸を閉じるときにストライク９６が上記規制片９５に当接することにより、この規制片９５がストライク９６に押圧されて没入移動する。
【０００７】
これによって、規制片９５の上端と鎌金９２との係合が解除され、鎌金９２が回動自在になる。次いで、図示しないサムターンを回動操作してリトラクター９３を下方移動させることにより、鎌金９２が回動し、鎌金９２の先端のカマ９７がストライクボックス９８に収容され、ストライク９６に係止されて施錠される。
【０００８】
このように、上記鎌錠では、解錠状態においては、サムターンを回しても鎌金９２が回動しないように規制しており、これによって、カマ９７の不用意な突出を防止するものとなっている。
【０００９】
【発明が解決しようとする課題】
しかしながら、上記従来の鎌錠では、解錠状態においてはカマ９７は突出しないものの、それに代わる規制片９５が戸先面から突出しており、引戸を開けた状態においては、戸先面に突起物があることには変わらず、安全上及び美観上において未だ難点があるという問題点を有している。
【００１０】
本発明は、上記従来の問題点に鑑みなされたものであって、その目的は、解錠状態においては、不用意なカマの突出を防止し得ると共に、戸先面からの突起物を無くし得る鎌錠を提供することにある。
【００１１】
【課題を解決するための手段】
請求項１に係る発明の鎌錠は、上記課題を解決するために、錠ケース及びそのケースカバー内に鎌金を有する錠とこの錠内に設けられたハブを回動させることにより鎌金を回動させて施・解錠すべく戸内側及び戸外側に設けられる例えばサムターン等の操作部材とからなる施錠本体と、上記鎌金の先端に形成されたカマに係合し得るストライクを有する受金具とから構成される鎌錠において、上記の錠内には、上記鎌金を内蔵して回動自在に軸支するデッドボルトが上記ハブのアームの押圧により出没移動すべく錠ケース内を摺動自在に設けられると共に、このデッドボルトの進出移動によりデッドボルトに係合されて並進移動してフロントから突出するストライク確認部材と、上記デッドボルトの進出移動を規制する規制手段と、デッドボルトの進出移動に伴い鎌金の先端におけるカマのストライク通過後に鎌金を回動させて上記カマをデッドボルトから例えば上側又は下側に突出させるカマ突出手段とが設けられ、上記操作部材の回動操作にてハブを回動させることによるハブのアームの押圧にてデッドボルトをフロントから少し突出移動させたときに、このデッドボルトと並進するストライク確認部材の先端がストライクに当接しない場合には、規制手段にてデッドボルトの進出移動を禁止する一方、上記操作部材の回動操作にてハブを回動させることによるハブのアームの押圧にてデッドボルトをフロントから少し突出移動させたときに、このデッドボルトと並進するストライク確認部材の先端がストライクに当接する場合には、ストライク確認部材とデッドボルトとの係合を解除してストライク確認部材におけるデッドボルトとの並進突出移動を回避しかつストライク確認部材を没入状態に維持させると共に、このストライク確認部材の没入状態維持に伴い規制手段によりデッドボルトの進出移動の禁止が解除されることを特徴としている。
【００１２】
上記の発明によれば、錠の解錠状態においては、鎌金及びこの鎌金を回動自在に内蔵するデッドボルト並びにストライク確認部材はいずれも錠内に没入移動した状態となっている。
【００１３】
従って、戸を開けても戸先面からの突起物が無いので、安全でありかつ見栄えも良い。
【００１４】
この錠の解錠状態において、戸が開いているときに、例えばサムターン等の操作部材を回動操作したとする。
【００１５】
このときには、鎌金、デッドボルト及びストライク確認部材がいずれも錠内に没入移動した状態となっている。従って、サムターン等の操作部材が回動操作されると、ハブが回動し、このとき、ハブのアームが錠ケース内で摺動自在に設けられたデッドボルトを押圧してデッドボルトを進出移動させる。デッドボルトは進出移動すると、錠の先端に形成されたフロントから少し突出する。
【００１６】
また、このとき、ストライク確認部材もデッドボルトの進出移動によりデッドボルトに係合されて並進移動してフロントから同様に少し突出する。尚、ここで言う「少し」とは、ストライク確認部材の没入状態におけるその先端、つまり戸先面とストライクとの間の距離を僅かに越える程度の距離であって、ストライクの存在が確認でき、かつこのストライクの存在確認により機械的な誤差も含めて規制手段がデッドボルトの進出移動を禁止し得る距離を言う。
【００１７】
ここで、戸が開いているときには、進出方向にはストライクが存在しない状態となっている。従って、ストライク確認部材はストライクに当接しない。そして、このときには、規制手段がデッドボルトの進出移動を禁止する。
【００１８】
この結果、戸が開いているときには、サムターン等の操作部材を回動操作しても、デッドボルトとストライク確認部材とが並進して少し戸先面から突出するだけであり、カマも出ない。
従って、戸が開いているときには、カマも突出しないので安全である。
【００１９】
一方、戸を閉めているときには、デッドボルトは進出移動によりストライクの貫入口を通して貫入されるが、デッドボルトと並進するストライク確認部材の先端はストライクに当接する。このときには、ストライク確認部材とデッドボルトとの係合が解除され、ストライク確認部材におけるデッドボルトとの並進突出移動が回避される。そして、ストライク確認部材を没入状態に維持させると共に、このストライク確認部材の没入状態維持に伴い規制手段にてデッドボルトの進出移動の禁止が解除される。
【００２０】
この結果、デッドボルトはそのまま進出移動を続行することができる。次いで、デッドボルトの進出移動に伴いカマ突出手段が鎌金の先端におけるカマのストライク通過後に鎌金を回動させてカマをデッドボルトから例えば上側又は下側に突出させる。これによって、カマがストライクに係合し施錠される。
従って、戸を閉じた状態においては、正常に施錠することができる。
【００２１】
この結果、解錠状態においては、不用意なカマの突出を防止し得ると共に、戸先面からの突起物を無くし得る鎌錠を提供することができる。
【００２２】
請求項２に係る発明の鎌錠は、上記課題を解決するために、請求項１記載の鎌錠において、上記の錠内には、戸の開いている状態にてデッドボルトが突出位置となり、又はさらにカマが突出したときにはデッドボルトの先端を押圧操作することによりカマ及びデッドボルトを没入位置に戻し得る例えば板バネ等の没入手段が設けられていることを特徴としている。
【００２３】
即ち、請求項１の鎌錠においては、戸の開いている状態においても、例えば、悪戯等により、戸先面のストライク確認部材の先端を押さえながら、サムターン等の操作部材を回動操作して、施錠状態であるデッドボルトを突出位置とし、又はさらにカマが突出した状態にすることが可能である。
【００２４】
そして、このようにデッドボルト及びカマが突出状態で放置されている場合に、例えば、誤って手等が触れたときにデッドボルト及びカマが没入しないのでは危険である。また、この状態で引戸を閉じた場合には、カマがストライクに衝突する一方、このときにデッドボルト及びカマが没入移動しないのではカマの破損を招来する。
【００２５】
しかし、上記の発明によれば、戸の開いている状態にてデッドボルトが突出位置となり、又はさらにカマが突出したときには、デッドボルトの先端を押圧操作することにより没入手段にてカマ及びデッドボルトを没入位置に戻すことができる。
【００２６】
この結果、戸の開いている状態にてデッドボルトが突出位置となり、又はさらにカマが突出している場合に、誤って手等が触れたときや、この状態で引戸を閉じた場合にも、デッドボルト及びカマが没入移動するので、安全であり、かつカマの破損を防止することができる。
【００２７】
請求項３に係る発明の鎌錠は、上記課題を解決するために、請求項１又は２記載の鎌錠において、上記の錠は、錠ケースとそのケースカバーとを合体したものが円筒状に形成されていることを特徴としている。
【００２８】
上記の発明によれば、錠は、錠ケースとそのケースカバーとを合体したものが円筒状に形成されているので、施工に際して、戸に錠を収容するスペースを形成すべく戸に孔を穿設する場合において、汎用されているドリルにて穿孔するだけで足り、直方体の孔を穿設する場合のノミ等による穿孔作業を省略することができる。
この結果、鎌錠の取り付け時における作業性の向上を図ることができる。
【００２９】
【発明の実施の形態】
本発明の実施の一形態について図１ないし図７に基づいて説明すれば、以下の通りである。
【００３０】
本実施の形態の鎌錠は、図２に示すように、例えば引戸や開き戸等の戸１に取り付けられる施錠本体２と後述するストライク７１を有する受金具７０とからなっている。
【００３１】
上記の施錠本体２は、戸外側に設けられるシリンダー部５０と戸内側に設けられるサムターン部６０とこれらの中央に設けられる錠１０とからなっている。
【００３２】
上記の操作部材としてのシリンダー部５０及びサムターン部６０は、いずれも一般的なものであり周知のものから構成されている。
【００３３】
例えば、シリンダー部５０には、図３（ａ）（ｂ）に示すように、上記サムターン部６０にまで挿通される帯板状のスピンドル５１が設けられており、鍵５２（図２参照）にてシリンダー５３を操作することにより、このスピンドル５１が回動し得るようになっている。
【００３４】
また、サムターン部６０には、図４（ａ）（ｂ）に示すように、サムターン６１が回動自在に設けられている。このサムターン６１の内側軸部６１ａの端面には十字状の挿入孔６２が穿設されており、この挿入孔６２に上記スピンドル５１が錠１０を通して挿入されるようになっている。従って、サムターン６１を回してスピンドル５１を回動させることにより錠１０が施・解錠し得るようになっている。
【００３５】
一方、本実施の形態の錠１０は、図２に示すように、例えば、錠ケース２０及びそのケースカバー４０を合体したときの形状を円筒状に形成し、その中に錠前機構を内蔵したチューブラ式のものからなっている。これによって、この錠１０を戸１に取り付ける際に、戸１の戸先面に対してはドリルにてフロント２１の外径に沿って穿設すると共に、戸１の内外方向に対しては断面円弧状の回動規制プレート３に沿う孔をドリルで穿設するだけで、錠１０を戸１に取り付けることができる。このため、施工の簡素化を図ることができる。
【００３６】
なお、本実施の形態においては、このように、錠１０をチューブラ式にて形成しているが、本発明においては必ずしもこれに限らず、チューブラ式でないもので形成することも可能である。
【００３７】
上記の錠ケース２０は、例えば真鍮等の金属からなっており、円形の上記フロント２１と、その後方に続く縦割り半円筒形部２２とからなっている。また、ケースカバー４０は、上記錠ケース２０の縦割り半円筒形部２２に対向し、外観がこの縦割り半円筒形部２２と左右対象となる縦割り半円筒形に形成されたものからなっている。そして、両者を対向させて後述する合体ピン２０ｇ・２０ｇを合体ピン孔４０ｄ・４０ｄに嵌合させることにより、錠１０が円筒状となるように固定し得るようになっている。
【００３８】
この錠ケース２０の内部には、図１（ａ）（ｂ）（ｃ）に示すように、回動自在に設けられるハブ２３と、内蔵する鎌金２４を回動自在に軸支すると共にフロント２１から出没移動自在に設けられるデッドボルト２５と、このデッドボルト２５の突出移動及び鎌金２４の回動を規制するストライク確認部材としてのトリガーボルト２６と、デッドボルト２５の進出移動を阻止する規制手段としてのストッパー２７等とが備えられている。
【００３９】
上記のハブ２３にはその中央に、錠ケース２０側及びケースカバー４０側に突出する円形突出部２３ａ・２３ａがそれぞれ形成されており、これら円形突出部２３ａ・２３ａは、錠ケース２０及びケースカバー４０にそれぞれ穿設された遊嵌孔２０ａ・４０ａに遊嵌されるようになっている。この結果、ハブ２３は錠１０の内部で回動自在となっている。
【００４０】
また、上記の円形突出部２３ａ・２３ａには、前記スピンドル５１を挿通させるための十字状の遊嵌孔２３ｂが貫通されている。さらに、ハブ２３には中央から互いに反対方向に延びるアームとしての上アーム２３ｃと下アーム２３ｄとが形成されている。尚、錠ケース２０及びケースカバー４０の上部及び下部にはハブ２３の回動による上記の上アーム２３ｃ及び下アーム２３ｄの接触を防止すべく、上部開口２０ｂ・４０ｂ及び下部開口２０ｃ・４０ｃが形成されている。
【００４１】
一方、デッドボルト２５は、図５（ｂ）に示すように、断面略Ｕ字状に形成されると共に、図５（ａ）（ｃ）に示すように、前記フロント２１側には長方形の側面板２５ａ・２５ａを有し、かつその側面板２５ａ・２５ａの上部は開放されたものとなっている。
【００４２】
また、側面板２５ａ・２５ａの後端上部からは、図５（ａ）（ｃ）（ｄ）に示すように、断面略Ｕ字状の延設部２５ｂが形成されており、さらに、この延設部２５ｂの後部上端には、前記ハブ２３の上アーム２３ｃを遊嵌状態に回動するための開口２５ｃが形成されている。
【００４３】
また、側面板２５ａ・２５ａにおける後部には軸孔２５ｄ・２５ｄが穿設されており、両側面板２５ａ・２５ａの間に挟装される鎌金２４の鎌金軸２４ａ・２４ａがこれら軸孔２５ｄ・２５ｄに遊嵌されている。この結果、鎌金２４は錠ケース２０に回動自在に軸支されている。
【００４４】
上記鎌金２４は、例えばステンレスにてなっており、略Ｕ字形に形成されている。そして、鎌金２４には先端側が上向きとなるカマ２４ｂが形成されている。尚、本発明においては、必ずしもこれに限らず、カマを下向きとすることも可能である。
【００４５】
また、鎌金２４の後端上部には、鎌金被係止部２４ｃが形成されている。この鎌金被係止部２４ｃは、後述する図７に示すように、デッドボルト２５の進出移動に伴いカマ２４ｂがストライク７１を通過した後に、前記ケースカバー４０に形成される鎌金係止部４１に係止されて鎌金２４をその鎌金軸２４ａの周りに回動させ、カマ２４ｂをデッドボルト２５から上方に突出させるためのものである。
【００４６】
従って、上記のケースカバー４０の鎌金係止部４１と鎌金２４の鎌金被係止部２４ｃとによってカマ突出手段の機能が果たされている。
【００４７】
また、図５（ａ）（ｂ）（ｃ）に示すように、鎌金２４の先端下部には、側面板２５ａ・２５ａへの対向面に切欠部２４ｄ・２４ｄが対称にそれぞれ形成されている。そして、鎌金２４が自重により鎌金軸２４ａを中心として下方に回動したときに、側面板２５ａ・２５ａの内側に形成される切欠用突出ピン２５ｅ・２５ｅが上記の切欠部２４ｄ・２４ｄに当接することにより鎌金２４の自重による下方への回動が阻止されると共に、この当接状態のときに鎌金２４が両側面板２５ａ・２５ａに略隠れるように内蔵されている。
【００４８】
さらに、上記のデッドボルト２５における側面板２５ａ・２５ａの上端には、それぞれ異なる凹部が形成されている。
即ち、前記ケースカバー４０側の側面板２５ａ（図５（ａ）において下側に示す側面板２５ａ）の上端には、側面板２５ａの後端、つまり延設部２５ｂとの境から先端側へ向けて略中央位置までの間に長方形凹部２５ｆが形成されている。
【００４９】
一方、前記錠ケース２０側の側面板２５ａ（図５（ａ）において上側に示す側面板２５ａ）の上端には、上記の長方形凹部２５ｆと同サイズの浅凹部２５ｇが形成されると共に、さらにその浅凹部２５ｇの先端縁から下側に向けて長方形の深凹部２５ｈが形成されている。そして、この深凹部２５ｈの先端位置は、図１（ａ）に示すように、デッドボルト２５が没入位置にあるときに、後述するストッパー２７における折曲部２７ａの先端が当接しない位置となっている。これによって、デッドボルト２５の没入の妨げにならないようになっている。
【００５０】
また、上記の深凹部２５ｈの深さは、図６に示すように、ストッパー２７が回動して上記折曲部２７ａが下方移動したときに、折曲部２７ａの上端が浅凹部２５ｇの底の延長線よりもさらに下側になるように形成されている。さらに、図１（ｂ）に示すように、上記の浅凹部２５ｇの深さは、ストッパー２７の折曲部２７ａが水平状態となっているときに、折曲部２７ａの下端がデッドボルト２５の浅凹部２５ｇの底面に触れないようにして、デッドボルト２５が錠ケース２０内を自在に摺動し得る深さに形成されている。
【００５１】
尚、浅凹部２５ｇの後端は、図７に示すように、デッドボルト２５が錠ケース２０内を摺動して進出移動したときに、このストッパー２７における折曲部２７ａの後端に当接して、その移動が停止される位置となっている。従って、浅凹部２５ｇの後端が折曲部２７ａの後端に当接した状態がデッドボルト２５の最大突出位置となっている。
【００５２】
また、図１（ａ）（ｂ）に示すように、デッドボルト２５の側面板２５ａ・２５ａの下側には、トリガーボルト２６が、錠ケース２０内を摺動自在かつフロント２１から突出自在に設けられている。
【００５３】
上記のトリガーボルト２６は、進出方向において上記デッドボルト２５の側面板２５ａと同じ長さを有し、先端には下方に折曲された垂下当接部２６ａが形成されている。この垂下当接部２６ａは、後述するように、対向するストライク７１に当接し得るようになっている。
【００５４】
また、トリガーボルト２６の後方下端には、垂下状態に形成された付勢係合部２６ｂが設けられていると共に、この付勢係合部２６ｂの後端には、トリガースプリング２８が緊縮状態に設けられている。これによって、トリガーボルト２６は突出方向に付勢されている。尚、この付勢係合部２６ｂは、後述するように、トリガーボルト２６が少しフロント２１から突出した位置でその突出移動を停止すべく、錠ケース２０に形成されたボルト係止部２０ｄに当接されるようになっている。
【００５５】
さらに、トリガーボルト２６の上側においては、後方の側面縁から立設板２６ｃが立ち上げられている。この立設板２６ｃの上端後部の角２６ｄは、ストッパー２７との摺動を滑らかにするために面取りが施されている。
【００５６】
また、この立設板２６ｃの先端側では、前記図５（ａ）（ｂ）（ｃ）にも示すように、デッドボルト２５の錠ケース２０側の側面板２５ａに設けられた突起２５ｉが係合するようになっている。
【００５７】
従って、デッドボルト２５が進出移動するときには、トリガーボルト２６もトリガースプリング２８にて進出方向に付勢されているので、図６に示すように、デッドボルト２５とトリガーボルト２６とが並進するようになっている。
【００５８】
一方、突出移動していたデッドボルト２５が後退移動するときには、上記デッドボルト２５の突起２５ｉが立設板２６ｃの先端側に当接してこれを押圧するので、突出移動していたトリガーボルト２６が図１（ｂ）に示す元の位置に戻るようになっている。
【００５９】
次に、図１（ａ）（ｂ）に示すように、このトリガーボルト２６における立設板２６ｃの上側には、トリガーボルト２６が没入状態のときにこの立設板２６ｃの上端に接触するストッパー２７が設けられている。
【００６０】
上記ストッパー２７は、略Ｌ字型に形成されていると共に、錠ケース２０に形成されたストッパー用軸２０ｅによって回動自在に軸支されている。従って、ストッパー２７の下端は、回動したときに上記立設板２６ｃと摺動しながら円滑に回動できるように面取りが施されている。
【００６１】
また、ストッパー２７の上端部先端側には、デッドボルト２５側に折曲された折曲部２７ａが形成されている。
【００６２】
さらに、ストッパー２７の上端には、ストッパー突起２７ｂが形成されており、このストッパー突起２７ｂとこれに対向する錠ケース２０のスプリング用凹部２０ｆとの間には、ストッパースプリング２９が設けられている。これによって、ストッパー２７は、上記ストッパー用軸２０ｅを中心として下方向に回動するように付勢されている。
【００６３】
一方、ケースカバー４０には、図７に示すように、上部先端側にカマ突出手段としての鎌金係止部４１が設けられており、デッドボルト２５が進出移動することにより鎌金２４の鎌金被係止部２４ｃの先端側がこの鎌金係止部４１に当接したときに、さらにデッドボルト２５の進出移動を行うことにより、鎌金２４が鎌金軸２４ａ・２４ａを中心として回動し、これによって、カマ２４ｂがデッドボルト２５の上面から突出するようになっている。
【００６４】
また、図１（ｂ）（ｃ）に示すように、錠ケース２０の下側におけるハブ２３近傍位置には、没入手段としての板バネ３０が設けられており、この板バネ３０はハブ２３の下アーム２３ｄの先端に当接することにより下アーム２３ｄを上方向に付勢している。従って、この板バネ３０によって、ハブ２３が解錠位置及び施錠位置にてその回動が規制され、錠１０の解錠状態又は施錠状態のいずれかの状態を保持し得るようになっている。
【００６５】
逆に、錠１０の解錠状態又は施錠状態を保持するための力はこの板バネ３０により付与されているので、戸１の開いた状態において、トリガーボルト２６が突出し、又はさらにカマ２４ｂが突出した状態となっているときには、トリガーボルト２６の先端を押圧することにより、この板バネ３０の弾性力に抗して、トリガーボルト２６を没入移動させることができるようになっている。
【００６６】
また、上記の各部材を収容した錠ケース２０に、ケースカバー４０を取り付けるに際しては、錠ケース２０の合体ピン２０ｇ・２０ｇをケースカバー４０の合体ピン孔４０ｄ・４０ｄに嵌合させることにより、錠１０が円筒状となるように固定し得るようになっている。
【００６７】
次に、上記構成を備えた鎌錠の動作を説明する。
【００６８】
先ず、図１（ａ）（ｂ）（ｃ）に示すように、錠１０の解錠状態においては、鎌金２４及びこの鎌金２４を回動自在に内蔵するデッドボルト２５並びにトリガーボルト２６はいずれも錠１０内に没入移動した状態となっている。
【００６９】
従って、戸１を開けても戸先面からの突起物が無いので、安全でありかつ見栄えも良いものとなっている。
【００７０】
この錠１０の解錠状態において、戸１が開いているときに、図２に示すように、戸内側及び戸外側に設けられる例えばサムターン６１を回動操作したとする。これにより、図１（ｂ）（ｃ）に示すハブ２３が回動し、このとき、ハブ２３の上アーム２３ｃが錠ケース２０内で摺動自在に設けられたデッドボルト２５の開口２５ｃの先端を押圧してデッドボルト２５を進出移動させる。
【００７１】
尚、このとき、ストッパー２７の下端は、トリガーボルト２６における立設板２６ｃの上端を暫くは摺動する。従って、この摺動期間においては、ストッパー２７の折曲部２７ａも深凹部２５ｈの上方を略水平に移動する。
【００７２】
また、このとき、トリガースプリング２８にて進出方向に付勢されるトリガーボルト２６もデッドボルト２５の進出移動により立設板２６ｃがデッドボルト２５の突起２５ｉに係合して並進移動してフロント２１から同様に少し突出する。
【００７３】
尚、ここで言う「少し」とは、トリガーボルト２６の没入状態におけるその先端の垂下当接部２６ａ、つまり戸先面とストライク７１との間の距離を僅かに越える程度の距離であって、ストライク７１の存在が確認でき、かつこのストライク７１の存在確認により機械的な誤差も含めてストッパー２７がデッドボルト２５の進出移動を禁止し得る距離を言う。
【００７４】
ここで、戸１が開いているときには、図６に示すように、進出方向にはストライク７１が存在しない状態となっている。従って、トリガーボルト２６もデッドボルト２５と並進を続ける。これによって、同図に示すように、ストッパー２７とトリガーボルト２６の立設板２６ｃとの係合が外れる。このため、ストッパースプリング２９により下側に付勢されているストッパー２７がストッパー用軸２０ｅを中心として回動し、これによって、折曲部２７ａが深凹部２５ｈに落ち込み、やがて、その深凹部２５ｈの後端側に当接する。この結果、それ以上のデッドボルト２５の進出移動ができなくなる。即ち、ストッパー２７がデッドボルト２５の進出移動を禁止する。
【００７５】
この結果、戸が開いているときには、例えばサムターン６１を回動操作しても、デッドボルト２５とトリガーボルト２６とが並進して少し戸先面から突出するだけであり、カマ２４ｂも出ない。
【００７６】
従って、戸１が開いているときには、カマ２４ｂも突出しないので安全である。
【００７７】
一方、戸１を閉めているときには、図７に示すように、デッドボルト２５は進出移動によりストライク７１の貫入口７１ａを通過するが、デッドボルト２５と並進するトリガーボルト２６は、その先端の垂下当接部２６ａがストライク７１に当接して進出移動ができない。そして、このときには、トリガーボルト２６の立設板２６ｃとデッドボルト２５の突起２５ｉとの係合が解除されており、トリガーボルト２６におけるデッドボルト２５との並進突出移動が回避される。これによって、トリガーボルト２６が没入状態に維持される。この結果、トリガーボルト２６の立設板２６ｃの上端は絶えずストッパー２７の下端に当接して、ストッパー２７の回動を抑制する。即ち、このトリガーボルト２６の没入状態維持に伴いストッパー２７によるデッドボルト２５の進出移動の禁止が解除される。
【００７８】
このため、ストッパー２７の折曲部２７ａは、水平状態を保ち、その結果、デッドボルト２５が進出移動するときには、折曲部２７ａはストッパー２７の浅凹部２５ｇの上方を通ることになる。従って、デッドボルト２５は、そのまま進出移動を続行することができる。次いで、デッドボルト２５の進出移動に伴い鎌金係止部４１が鎌金２４の先端におけるカマ２４ｂのストライク７１に鎌金２４を回動させてカマ２４ｂをデッドボルト２５から例えば上側に突出させる。これによって、カマ２４ｂがストライク７１に係合し施錠される。
従って、戸１を閉じた状態においては、正常に施錠することができる。
【００７９】
この結果、解錠状態においては、不用意なカマ２４ｂの突出を防止し得ると共に、戸先面からの突起物を無くし得る鎌錠を提供することができる。
【００８０】
一方、上記の鎌錠では、戸１の開いている状態においても、例えば、悪戯等により、戸先面のトリガーボルト２６の垂下当接部２６ａを押さえながら、サムターン６１を回動操作して、施錠状態であるデッドボルト２５を突出位置とし、又はさらにカマ２４ｂが突出した状態にすることが可能である。
【００８１】
そして、このようにデッドボルト２５及びカマ２４ｂが突出状態で放置されている場合に、例えば、誤って手等が触れたときにデッドボルト２５及びカマ２４ｂが没入しないのでは危険である。また、この状態で戸１としての引戸を閉じた場合には、カマ２４ｂがストライク７１に衝突する一方、このときにデッドボルト２５及びカマ２４ｂが没入移動しないのではカマ２４ｂの破損を招来する。
【００８２】
しかし、本実施の形態の鎌錠では、戸１の開いている状態にてデッドボルト２５が突出位置となり、又はさらにカマ２４ｂが突出したときには、デッドボルト２５の垂下当接部２６ａを押圧操作することにより板バネ３０にてカマ２４ｂ及びデッドボルト２５を没入位置に戻すことができる。
【００８３】
この結果、戸１の開いている状態にてデッドボルト２５が突出位置となり、又はさらにカマ２４ｂが突出している場合に、誤って手等が触れたときや、この状態で引戸等の戸１を閉じた場合にも、デッドボルト２５及びカマ２４ｂが没入移動するので、安全であり、かつカマ２４ｂの破損を防止することができる。
【００８４】
また、本実施の形態の鎌錠では、錠１０は錠ケース２０とそのケースカバー４０とを合体したものが円筒状に形成されているので、施工に際して、戸１に錠１０を収容するスペースを形成すべく戸１に孔を穿設する場合において、汎用されているドリルにて穿孔するだけで足り、直方体の孔を穿設する場合のノミ等による穿孔作業を省略することができる。
この結果、鎌錠の取り付け時における作業性の向上を図ることができる。
【００８５】
【発明の効果】
請求項１に係る発明の鎌錠は、以上のように、錠内には、上記鎌金を内蔵して回動自在に軸支するデッドボルトが上記ハブのアームの押圧により出没移動すべく錠ケース内を摺動自在に設けられると共に、このデッドボルトの進出移動によりデッドボルトに係合されて並進移動してフロントから突出するストライク確認部材と、上記デッドボルトの進出移動を規制する規制手段と、デッドボルトの進出移動に伴い鎌金の先端におけるカマのストライク通過後に鎌金を回動させて上記カマをデッドボルトから突出させるカマ突出手段とが設けられ、上記操作部材の回動操作にてハブを回動させることによるハブのアームの押圧にてデッドボルトをフロントから少し突出移動させたときに、このデッドボルトと並進するストライク確認部材の先端がストライクに当接しない場合には、規制手段にてデッドボルトの進出移動を禁止する一方、上記操作部材の回動操作にてハブを回動させることによるハブのアームの押圧にてデッドボルトをフロントから少し突出移動させたときに、このデッドボルトと並進するストライク確認部材の先端がストライクに当接する場合には、ストライク確認部材とデッドボルトとの係合を解除してストライク確認部材におけるデッドボルトとの並進突出移動を回避しかつストライク確認部材を没入状態に維持させると共に、このストライク確認部材の没入状態維持に伴い規制手段によりデッドボルトの進出移動の禁止が解除されるものである。
【００８６】
それゆえ、解錠状態においては、鎌金及びこの鎌金を回動自在に内蔵するデッドボルト並びにストライク確認部材はいずれも錠内に没入移動した状態となっている。この結果、戸を開けても戸先面からの突起物が無いので、安全でありかつ見栄えも良いという効果を奏する。
【００８７】
また、錠の解錠状態において、戸が開いているときには、サムターン等の操作部材を回動操作しても、デッドボルトとストライク確認部材とが並進して少し戸先面から突出するだけであり、カマも出ない。
【００８８】
従って、戸が開いているときには、カマも突出しないので安全であるという効果を奏する。
【００８９】
一方、戸を閉めているときには、規制手段にてデッドボルトの進出移動の禁止が解除される。
【００９０】
この結果、デッドボルトはそのまま進出移動を続行することができると共に、デッドボルトの進出移動に伴いカマ突出手段が鎌金の先端におけるカマのストライク通過後に鎌金を回動させてカマをデッドボルトから例えば上側又は下側に突出させるので、カマがストライクに係合し施錠される。
従って、戸を閉じた状態においては、正常に施錠することができる。
【００９１】
この結果、解錠状態においては、不用意なカマの突出を防止し得ると共に、戸先面からの突起物を無くし得る鎌錠を提供することができるという効果を奏する。
【００９２】
請求項２に係る発明の鎌錠は、以上のように、請求項１記載の鎌錠において、上記の錠内には、戸の開いている状態にてデッドボルトが突出位置となり、又はさらにカマが突出したときにはデッドボルトの先端を押圧操作することによりカマ及びデッドボルトを没入位置に戻し得る没入手段が設けられているものである。
【００９３】
それゆえ、戸の開いている状態にてデッドボルトが突出位置となり、又はさらにカマが突出している場合に、誤って手等が触れたときや、この状態で引戸を閉じた場合にも、デッドボルト及びカマが没入移動するので、安全であり、かつカマの破損を防止することができるという効果を奏する。
【００９４】
請求項３に係る発明の鎌錠は、以上のように、請求項１又は２記載の鎌錠において、上記の錠は、錠ケースとそのケースカバーとを合体したものが円筒状に形成されているものである。
【００９５】
それゆえ、錠は、錠ケースとそのケースカバーとを合体したものが円筒状に形成されているので、施工に際して、戸に錠を収容するスペースを形成すべく戸に孔を穿設する場合において、汎用されているドリルにて穿孔するだけで足り、直方体の孔を穿設する場合のノミ等による穿孔作業を省略することができる。
この結果、鎌錠の取り付け時における作業性の向上を図ることができるという効果を奏する。
【図面の簡単な説明】
【図１】本発明における鎌錠の実施の一形態を示すものであり、（ａ）は錠の側面図、（ｂ）はケースカバーを除いた状態の錠の内部を示す正面図、（ｃ）は錠の底面図である。
【図２】上記鎌錠における施錠本体の構成を示す斜視図である。
【図３】上記鎌錠のシリンダー部の構成を示すものであり、（ａ）は正面図、（ｂ）は断面図である。
【図４】上記鎌錠のサムターン部の構成を示すものであり、（ａ）は断面図、（ｂ）は正面図である。
【図５】上記鎌錠のデッドボルトと鎌金の構成を示すものであり、（ａ）は平面図、（ｂ）は側面図、（ｃ）は正面図、（ｄ）はＸ−Ｘ線断面図である。
【図６】上記鎌錠においてデッドボルト及びトリガーボルトが少し突出した状態をケースカバーを除いて示す正面図である。
【図７】上記鎌錠における施錠状態をケースカバーを除いて示す正面図である。
【図８】従来の鎌錠における解錠状態を示す断面図である。
【図９】従来の鎌錠における施錠状態を示す断面図である。
【符号の説明】
１    戸
２    施錠本体
１０    錠
２０    錠ケース
２１    フロント
２３    ハブ
２３ｃ  上アーム（アーム）
２４    鎌金
２４ｂ  カマ
２５    デッドボルト
２６    トリガーボルト（ストライク確認部材）
２７    ストッパー（規制手段）
３０    板バネ（没入手段）
４０    ケースカバー
４１    鎌金係止部（カマ突出手段）
５０    シリンダー部（操作部材）
６０    サムターン部（操作部材）
６１    サムターン
７０    受金具
７１    ストライク
【図１】
0003888719.tif 000002
【図２】
0003888719.tif 000003
【図３】
0003888719.tif 000004
【図４】
0003888719.tif 000005
【図５】
0003888719.tif 000006
【図６】
0003888719.tif 000007
【図７】
0003888719.tif 000008
【図８】
0003888719.tif 000009
【図９】
0003888719.tif 000010